(57)【要約】【課題】  多数のキャラクタを記載するために充分な面積を保持しつつ、その面積より小さくなる所定面積を有する配置場所に配置されても表示機能を充分に発揮することができる薄状体を提供する。【解決手段】  特定目印線が折り目となる位置に印刷されており、表面及び裏面には、前記特定目印線に基づいて山折り及び／又は谷折りされたとき及び／又は全面を折り畳まれることなく使用される際、表示機能を発揮する面状装飾が印刷されている薄状体とする。【選択図】図４
2018192753.tif 000002
【特許請求の範囲】
【請求項１】
特定目印線が折り目となる位置に印刷されており、
表面及び裏面には、前記特定目印線に基づいて山折り及び／又は谷折りされたとき及び／又は全面を折り畳まれることなく使用される際、表示機能を発揮する面状装飾が印刷されていることを特徴とする薄状体。
【請求項２】
前記特定目印線は、面積を１／４及び／又は１／２とする位置に印刷されていることを特徴とする請求項１に記載の薄状体。
【請求項３】
前記面状装飾は、双六、地図、一定面内に納められた図柄、一覧表及び比較表からなる群から選択された少なくとも１種であることを特徴とする請求項１又は請求項２に記載の薄状体。
【請求項４】
前記特定目印線は、線分、一直線上に並べられた記号、又は、直線の両端を示す記号であることを特徴とする請求項１又は請求項２に記載の薄状体。
【請求項５】
請求項１〜請求項４のいずれか１項に記載の薄状体と、
矩形状の第一合成樹脂シートと、
矩形状の第二合成樹脂シートとを備えるデスクマットであって、
前記第一合成樹脂シートと前記第二合成樹脂シートとの少なくとも一辺が固着されており、前記薄状体が前記第一合成樹脂シートと前記第二合成樹脂シートとの間に挿入配置されるデスクマット。
【請求項６】
前記第一合成樹脂シート及び前記第二合成樹脂シートの少なくとも１つは、透明領域及び／又は半透明領域が形成されたものであることを特徴とする請求項５に記載のデスクマット。
【請求項７】
前記第一合成樹脂シートの面積及び前記第二合成樹脂シートの面積は、前記薄状体の面積より小さくなるように設定され、
折り畳まれた前記薄状体が、前記第一合成樹脂シートと前記第二合成樹脂シートとの間で挿入・取出可能となるように構成されていることを特徴とする請求項５又は請求項６に記載のデスクマット。
【請求項８】
前記第一合成樹脂シートの面積及び前記第二合成樹脂シートの面積は、前記薄状体の面積より大きくなるように設定され、
前記薄状体が前記第一合成樹脂シートと前記第二合成樹脂シートとの間で挿入配置されて、前記第一合成樹脂シートの四辺と前記第二合成樹脂シートの四辺とが固着されたものであることを特徴とする請求項６又は請求項７に記載のデスクマット。
【発明の詳細な説明】
【技術分野】
【０００１】
本発明は、双六、地図、年表、一定面内に納められた図柄、一覧表、比較表等の面状装飾が印刷されている紙等の薄状体に関し、より詳しくは、薄状体が２枚の合成樹脂シートの間に挿入配置されて机の天板上に敷設されるデスクマットに関する。
【背景技術】
【０００２】
学習机用のデスクマットとして、本体シートと透明なカバーシートとを備え、本体シートの一辺とカバーシートの一辺とが接合一体化されたものが開示されている（例えば、特許文献１参照）。このようなデスクマットは、例えば学習机の天板上に敷設され、本体シートとカバーシートとの間に、地図等が印刷された紙等（薄状体）が挿入配置される。これにより、天板上の汚れや傷がつくことを防止しつつ、使用者となる子供等は、勉強の合間に地図等を観察している。
【０００３】
このようなデスクマットは、例えば横１００ｃｍ、縦７０ｃｍの面積を有する天板上に敷設されるため、デスクマットの面積は天板の面積よりやや小さい横８９ｃｍ、縦５０ｃｍとなっている。
【０００４】
一方、近年、子供達の間でテレビゲーム等が流行している。テレビゲームには多数のキャラクタが登場するものがあり、子供達は、キャラクタの絵柄とともにそのキャラクタの解説文等が記載された紙となるキャラクタ一覧表を購入したりして楽しんでいる。
【０００５】
そして、子供達は、このようなキャラクタ一覧表等の紙を、頻繁に使用する学習机の天板上に敷設されたデスクマットに挟み込んでいる。このとき、キャラクタ一覧表等の紙の面積Ｓは、デスクマットの面積よりやや小さい横８２ｃｍ、縦４８ｃｍとなっている。
【先行技術文献】
【特許文献】
【０００６】
【特許文献１】特開２００２−１５３３４３号公報
【発明の概要】
【発明が解決しようとする課題】
【０００７】
しかしながら、近年のテレビゲームには、非常に多数（例えば４００種類）のキャラクタが登場してくるため、横８２ｃｍ、縦４８ｃｍとなる面積Ｓでは、表面と裏面（合計表示領域２Ｓ）を用いても、全てのキャラクタが記載しきれず一部のキャラクタのみが記載されることとなり、子供達が不満を感じることがあった。
【０００８】
また、横８２ｃｍ、縦４８ｃｍより大きい面積を有する紙を用いると、その紙を折り畳んでデスクマットに挟み込む必要があるため、或るキャラクタ上で折られたりする等の美観が損なわれるという問題点があった。
【０００９】
そこで、本発明は、上述した如き課題に鑑みてなされたものであり、多数のキャラクタを記載するために充分な面積（表示領域）を保持しつつ、その面積より小さくなる所定面積を有する配置場所に配置されても表示機能を充分に発揮することができる薄状体及びそれを備えるデスクマットを提供することを目的とする。
【課題を解決するための手段】
【００１０】
以上のような目的を達成するために、本発明に係る薄状体は、特定目印線が折り目となる位置に印刷されており、表面及び裏面には、前記特定目印線に基づいて山折り及び／又は谷折りされたとき及び／又は全面を折り畳まれることなく使用される際、表示機能を発揮する面状装飾が印刷されていることを特徴とする。
このような本発明に係る薄状体によれば、表面及び裏面に面状装飾が印刷され、かつ、表示機能を損なわない位置に特定目印線が印刷されており、その特定目印線で折り畳まれて所定面積となっても、面状装飾の表示機能を充分に発揮することができる。また、薄状体の面積がその所定面積より大きくなっており、多数のキャラクタ等の面状装飾が印刷されている。
【００１１】
上記本発明に係る薄状体は、前記特定目印線が、面積を１／４及び／又は１／２とする位置に印刷されていることが好ましい。
このような本発明に係る薄状体によれば、薄状体の面積が所定面積の２倍や４倍となっており、充分な数のキャラクタ等の面状装飾が印刷されている。
【００１２】
上記本発明に係る薄状体は、前記面状装飾が、双六、地図、一定面内に納められた図柄、一覧表及び比較表からなる群から選択された少なくとも１種であることが好ましい。
このような本発明に係る薄状体によれば、充分な数のキャラクタ等や、充分な大きさの地図等が印刷されているため、子供達等は満足することができる。
【００１３】
上記本発明に係る薄状体は、前記特定目印線が、線分、一直線上に並べられた記号、又は、直線の両端を示す記号であることが好ましい。
このような本発明に係る薄状体によれば、表示機能を発揮するように正確に折り畳むことができる。
【００１４】
本発明に係るデスクマットは、上述したような薄状体と、矩形状の第一合成樹脂シートと、矩形状の第二合成樹脂シートとを備えるデスクマットであって、前記第一合成樹脂シートと前記第二合成樹脂シートとの少なくとも一辺が固着されており、前記薄状体が前記第一合成樹脂シートと前記第二合成樹脂シートとの間に挿入配置されることを特徴とする。
【００１５】
このような本発明に係るデスクマットによれば、薄状体の表面及び裏面に面状装飾が印刷され、かつ、表示機能を損なわない位置に特定目印線が印刷されており、その特定目印線で折り畳まれて所定面積（机の天板の面積よりやや小さい面積）となり、第一合成樹脂シートと第二合成樹脂シートとの間に挿入配置されても、面状装飾の表示機能を充分に発揮することができる。また、薄状体の面積がその所定面積より大きくなっており、充分な数のキャラクタ等の面状装飾が印刷されている。その結果、子供達等は満足することができる。
【００１６】
上記本発明に係るデスクマットは、前記第一合成樹脂シート及び前記第二合成樹脂シートの少なくとも１つは、透明領域及び／又は半透明領域が形成されたものであることが好ましい。
このような本発明に係るデスクマットによれば、第一合成樹脂シートと第二合成樹脂シートとの間に挿入配置された状態で面状装飾を観察することができる。また、デスクマット上に紙等を置き、キャラクタ等の面状装飾をなぞることでキャラクタを描くことができ、子供達等は楽しむことができる。
【００１７】
上記本発明に係るデスクマットは、前記第一合成樹脂シートの面積及び前記第二合成樹脂シートの面積が、前記薄状体の面積より小さくなるように設定され、折り畳まれた前記薄状体が、前記第一合成樹脂シートと前記第二合成樹脂シートとの間で挿入・取出可能となるように構成されていることが好ましい。
【００１８】
上記本発明に係るデスクマットは、前記第一合成樹脂シートの面積及び前記第二合成樹脂シートの面積が、前記薄状体の面積より大きくなるように設定され、前記薄状体が前記第一合成樹脂シートと前記第二合成樹脂シートとの間で挿入配置されて、前記第一合成樹脂シートの四辺と前記第二合成樹脂シートの四辺とが固着されたものであることが好ましい。
【発明の効果】
【００１９】
以上のように本発明に係る薄状体によれば、表面及び裏面に面状装飾が印刷され、かつ、表示機能を損なわない位置に特定目印線が印刷されており、その特定目印線で折り畳まれて所定面積となっても、面状装飾の表示機能を充分に発揮することができる。また、薄状体の面積がその所定面積より大きくなっており、多数のキャラクタ等の面状装飾が印刷されている。
【００２０】
以上のように本発明に係るデスクマットによれば、薄状体の表面及び裏面に面状装飾が印刷され、かつ、表示機能を損なわない位置に特定目印線が印刷されており、その特定目印線で折り畳まれて所定面積（机の天板の面積よりやや小さい面積）となり、第一合成樹脂シートと第二合成樹脂シートとの間に挿入配置されても、面状装飾の表示機能を充分に発揮することができる。また、薄状体の面積がその所定面積より大きくなっており、充分な数のキャラクタ等の面状装飾が印刷されている。その結果、子供達等は満足することができる。
【図面の簡単な説明】
【００２１】
【図１】第一実施形態に係るデスクマットの使用状態を示す図である。
【図２】第一実施形態に係るデスクマットの平面図である。
【図３】第一実施形態に係るデスクマットの側面図である。
【図４】第一実施形態に係る薄状体を折り畳んで第一合成樹脂シートと第二合成樹脂シートとの間に挿入配置する際の図である。
【図５】第一実施形態に係る薄状体の表面図である。
【図６】第一実施形態に係る薄状体の裏面図である。
【図７】第二実施形態に係るデスクマットの表面図である。
【図８】第二実施形態に係るデスクマットの裏面図である。
【図９】第四実施形態に係る薄状体の図である。
【図１０】第六実施形態に係るデスクマットの他の一例の図である。
【発明を実施するための形態】
【００２２】
以下に、本発明の実施形態について図面に基づいて説明する。
【００２３】
＜第一実施形態＞
＜デスクマット＞
図１は、本発明の第一実施形態に係るデスクマットの使用状態を示す図であり、図２は、第一実施形態に係るデスクマットの平面図であり、図３は、第一実施形態に係るデスクマットの側面図である。
【００２４】
デスクマット１００は、平面視で長方形状を呈しており、デスクマット１００の面積Ｓ’（＝横Ｘ’×縦Ｙ’）は、学習机Ａ等の長方形状の天板Ｂの面積よりやや小さくなっている。そして、デスクマット１００は天板Ｂ上に敷設されて使用される。
【００２５】
第一実施形態に係るデスクマット１００は、第一実施形態に係る薄状体１０と、第一合成樹脂シート２０と、第二合成樹脂シート３０とを備える。
【００２６】
第一合成樹脂シート２０は、長方体（縦Ｘ’×横Ｙ’×厚さＺ’）を呈している。そして、第一合成樹脂シート２０は透明となっている。
上記第一合成樹脂シート２０の材質としては、ＰＶＣ（ポリ塩化ビニル）やオレフィン系樹脂等の公知のものが挙げられ、例えばＥＶＡ（エチレン・酢酸ビニルコポリマ）樹脂からなる芯材の表裏両面に、保護層となるＥＡＡ（エチレン・アクリル酸コポリマ）樹脂が積層されたもの等が挙げられる。
上記第一合成樹脂シート２０の厚さＺ’は、０．３ｍｍ以上０．８ｍｍ以下であることが好ましい。
【００２７】
第二合成樹脂シート３０も、第一合成樹脂シート２０と同形状の長方体（縦Ｘ’×横Ｙ’×厚さＺ’）を呈している。そして、第二合成樹脂シート３０は、透明、もしくは、グリーン、グレーといった任意の色に着色された半透明となっている。
上記第二合成樹脂シート３０の材質としても、第一合成樹脂シート２０と同様にＰＶＣ（ポリ塩化ビニル）やオレフィン系樹脂等の公知のものが挙げられ、例えばＥＶＡ（エチレン・酢酸ビニルコポリマ）樹脂からなる芯材の表裏両面に、保護層となるＥＡＡ（エチレン・アクリル酸コポリマ）樹脂が積層されたもの等が挙げられる。
上記第二合成樹脂シート３０の厚さＺ’は、０．３ｍｍ以上０．８ｍｍ以下であることが好ましい。
【００２８】
第一合成樹脂シート２０の一辺２５と第二合成樹脂シート３０の一辺２５とが固着されている。これにより、例えば第一合成樹脂シート２０の対向する一辺側を持ち上げることにより、第一実施形態に係る薄状体１０を第一合成樹脂シート２０と第二合成樹脂シート３０との間に挿入配置することが可能となっている。
なお、第一合成樹脂シート２０の一辺２５と第二合成樹脂シート３０の一辺２５との固着方法としては、公知の方法が挙げられ、例えば高周波溶接や超音波溶接や熱溶着や接着といった方法等が挙げられる。
【００２９】
＜薄状体＞
＜形状＞
図４は、第一実施形態に係る薄状体を折り畳んで第一合成樹脂シートと第二合成樹脂シートとの間に挿入配置する際の図である。また、図５は、第一実施形態に係る薄状体の表面図であり、図６は、第一実施形態に係る薄状体の裏面図である。
【００３０】
薄状体１０は、長方体（横Ｘ×縦Ｙ×厚さＺ）を呈しており、第一合成樹脂シート２０と第二合成樹脂シート３０との間に、１／２の大きさに折り畳まれた状態で挿入配置されて使用されたり、第一合成樹脂シート２０と第二合成樹脂シート３０との間から取り出されて広げられた状態（折り畳まない状態）で使用されたりする。
上記薄状体１０の材質としては、紙、樹脂、布等が挙げられ、上記薄状体１０の厚さＺは、折り畳み可能な厚さとなっており、０．１ｍｍ以上０．３ｍｍ以下であることが好ましい。
【００３１】
薄状体１０の面積Ｓ（＝横Ｘ×縦Ｙ）は、第一合成樹脂シート２０及び第二合成樹脂シート３０の面積Ｓ’（＝横Ｘ’×縦Ｙ’）より大きくなっており、１／２の大きさに折り畳まれた状態における薄状体１０の面積（所定面積）Ｓ／２（＝横Ｘ×縦Ｙ／２）は、第一合成樹脂シート２０及び第二合成樹脂シート３０の面積Ｓ’よりやや小さくなっている。
【００３２】
ここで、薄状体１０の表面と裏面とに印刷されている面状装飾の一例について説明する。
＜表面の面状装飾＞
薄状体１０の表面の面積Ｓ（＝横Ｘ×縦Ｙ）は、第一合成樹脂シート２０（第二合成樹脂シート３０）の面積Ｓ’（＝横Ｘ’×縦Ｙ’）の約２倍の横８２ｃｍ、縦９６ｃｍとなる。
【００３３】
薄状体１０の表面の１／２の面積となる上段領域Ｓ／２（＝横Ｘ×縦Ｙ／２）１１ａには、テレビゲーム等に登場する例えば縦７×横１２の種類のキャラクタ（例えばポケットモンスタ（登録商標））の絵柄とともにそのキャラクタの解説文等が印刷されるとともに、上段領域１１ａ全面の背景は緑色に印刷されている。また、薄状体１０の表面の１／２の面積となる下段領域Ｓ／２（＝横Ｘ×縦Ｙ／２）１１ｂには、例えば縦７×横１２の種類のキャラクタの絵柄とともにそのキャラクタの解説文等が印刷されるとともに、下段領域１１ｂ全面の背景は赤色に印刷されている。つまり、薄状体１０の表面の上段領域１１ａと下段領域１１ｂとの間に形成されている赤色と緑色との色の違いによる境界線（線分）が、特定目印線１３となっている。
【００３４】
＜裏面の面状装飾＞
薄状体１０の裏面の面積Ｓ（＝横Ｘ×縦Ｙ）も、第一合成樹脂シート２０及び第二合成樹脂シート３０の面積Ｓ’（＝横Ｘ’×縦Ｙ’）の約２倍の横８２ｃｍ、縦９６ｃｍとなる。
薄状体１０の裏面の全領域Ｓ（＝横Ｘ×縦Ｙ）１２には、例えば縦１５×横１２の種類のキャラクタの絵柄とともにそのキャラクタの解説文等が印刷されている。
【００３５】
次に、薄状体１０の使用方法の一例について説明する。
＜使用方法＞
子供達等は、このような薄状体１０を表面の特定目印線１３で、裏面の上半分と下半分とが互いに合わさるように山折りすることにより、１／２の大きさに折り畳む。このとき、特定目印線１３で折られているため、表面上の或るキャラクタ上で折られたりする等の美観（面状装飾）が損なわれることはない。
【００３６】
そして、子供達等は、１／２の大きさに折り畳まれた薄状体１０を、第一合成樹脂シート２０と第二合成樹脂シート３０との間に挿入配置する。そして、デスクマット１００を学習机Ａ等の天板Ｂ上に敷設する。このとき、第一合成樹脂シート２０が透明であるため、薄状体１０の表面の上段領域１１ａを上側にして挿入配置すると、上段領域１１ａに記載された例えば縦７×横１２の種類のキャラクタを観察したり、デスクマット１００上に紙等を置き、キャラクタ等の面状装飾をなぞることでキャラクタを描いたりすることができる。一方、薄状体１０の表面の下段領域１１ｂを上側にして挿入配置すると、下段領域１１ｂに記載された例えば縦７×横１２の種類のキャラクタを観察したり、デスクマット１００上に紙等を置き、キャラクタ等の面状装飾をなぞることでキャラクタを描いたりすることができる。
【００３７】
また、子供達等は勉強の合間の休憩時に、第一合成樹脂シート２０と第二合成樹脂シート３０との間から薄状体１０を取り出し、薄状体１０の裏面が上側となるように床等に広げることで、例えば縦１５×横１２の種類のキャラクタを観察することができる。
【００３８】
以上のように、第一実施形態に係るデスクマット１００によれば、薄状体１０の表面及び裏面に面状装飾が印刷され、かつ、表示機能を損なわない位置に特定目印線１３が印刷されており、特定目印線１３で折り畳まれて所定面積Ｓ／２となり、第一合成樹脂シート２０と第二合成樹脂シート３０との間に挿入配置されても、上段領域１１ａのキャラクタ一覧表や下段領域１１ｂのキャラクタ一覧表等の面状装飾の表示機能を充分に発揮することができる。また、薄状体１０の面積Ｓが所定面積Ｓ／２の２倍となっており、充分な数（例えば４００種類）のキャラクタ等の面状装飾が印刷されている。その結果、子供達等は満足することができる。
【００３９】
＜第二実施形態＞
＜デスクマット＞
図７は、第二実施形態に係るデスクマットの表面図であり、図８は、第二実施形態に係るデスクマットの裏面図である。
デスクマット２００は、平面視で長方形状を呈しており、デスクマット２００の面積Ｓ’’（＝横Ｘ×縦Ｙ’’）は、学習机Ａ等の長方形状の天板Ｂの面積の約２倍よりやや小さくなっている。そして、デスクマット２００は天板Ｂ上に１／２の大きさに折り畳まれた状態で敷設されて使用される。
【００４０】
第二実施形態に係るデスクマット２００は、第二実施形態に係る薄状体２１０と、第一合成樹脂シート２２０と、第二合成樹脂シート２３０とを備える。
【００４１】
上記第一合成樹脂シート２２０及び上記第二合成樹脂シート２３０は、長方体（横Ｘ’×縦Ｙ’’×厚さＺ’）を呈している。そして、第一合成樹脂シート２２０及び第二合成樹脂シート２３０は透明となっている。
上記第一合成樹脂シート２２０及び上記第二合成樹脂シート２３０の材質としては、ＰＶＣ（ポリ塩化ビニル）やオレフィン系樹脂等の公知のものが挙げられ、例えばＥＶＡ（エチレン・酢酸ビニルコポリマ）樹脂からなる芯材の表裏両面に、保護層となるＥＡＡ（エチレン・アクリル酸コポリマ）樹脂が積層されたもの等が挙げられる。
上記第一合成樹脂シート２２０及び上記第二合成樹脂シート２３０の厚さＺ’は、０．１ｍｍ以上０．３ｍｍ以下であることが好ましい。
【００４２】
薄状体２１０の面積Ｓ（＝横Ｘ×縦Ｙ）は、第一合成樹脂シート２２０及び第二合成樹脂シート２３０の面積Ｓ’’（＝横Ｘ’×縦Ｙ’’）よりやや小さくなる。
薄状体２１０は、第一合成樹脂シート２２０と第二合成樹脂シート２３０との間に挿入配置されている。
【００４３】
そして、薄状体２１０が挿入配置された状態で、第一合成樹脂シート２２０の四辺と第二合成樹脂シート２３０の四辺とが固着されている。
なお、第一合成樹脂シート２２０の四辺と第二合成樹脂シート２３０の四辺との固着方法としては、公知の方法が挙げられ、例えば高周波溶接や超音波溶接や熱溶着や接着といった方法等が挙げられる。
また、第一合成樹脂シート２２０及び第二合成樹脂シート２３０の角には、微小の丸みＲが形成されていることが好ましい。
【００４４】
ここで、薄状体２１０の表面と裏面とに印刷されている面状装飾の一例について説明する。
＜表面の面状装飾＞
薄状体２１０の表面の１／２の面積となる上段領域Ｓ／２（＝横Ｘ×縦Ｙ／２）２１１ａには、上段領域２１１ａ内に納められた図柄が印刷されている。また、薄状体２１０の表面の１／２の面積となる下段領域Ｓ／２（＝横Ｘ×縦Ｙ／２）２１１ｂには、下段領域２１１ｂ内に納められた図柄が印刷されている。そして、薄状体２１０の表面の上段領域２１１ａと下段領域２１１ｂとの間となる左端部には、左端部側横線２１３ａが印刷されるとともに、薄状体２１０の表面の上段領域２１１ａと下段領域２１１ｂとの間となる右端部には、右端部側横線２１３ｂが印刷されている。これにより、左端部側横線２１３ａと右端部側横線２１３ｂとを結ぶ線分（特定目印線）で折り畳むことで、表示機能を発揮するように正確に折り畳むことができる。
【００４５】
＜裏面の面状装飾＞
薄状体２１０の裏面の全領域Ｓ（＝横Ｘ×縦Ｙ）２１２には、双六が印刷されている。
【００４６】
ここで、薄状体２１０の使用方法の一例について説明する。
＜使用方法＞
子供達等は、このようなデスクマット２００を、薄状体２１０の表面の特定目印線２１３ａ、２１３ｂで、裏面の上半分と下半分とが互いに合わさるように山折りすることにより、１／２の大きさに折り畳む。このとき、特定目印線２１３ａ、２１３ｂで折られているため、表面上の図柄上で折られたりする等の美観（面状装飾）が損なわれることはない。
【００４７】
そして、子供達等は、１／２の大きさに折り畳まれたデスクマット２００を、学習机Ａ等の天板Ｂ上に敷設する。このとき、第一合成樹脂シート２２０が透明であるため、薄状体２１０の表面の上段領域２１１ａを上側にして敷設すると、上段領域２１１ａに印刷された図柄を観察することができる一方、薄状体２１０の表面の下段領域２１１ｂを上側にして敷設すると、下段領域２１１ｂに印刷された図柄を観察することができる。
【００４８】
また、子供達等は勉強の合間の休憩時に、デスクマット２００を取り出し、薄状体２１０の裏面が上側となるように床等に広げることで、充分な大きさの双六を楽しむことができる。
【００４９】
以上のように、第二実施形態に係るデスクマット２００によれば、薄状体２１０の表面及び裏面に面状装飾が印刷され、かつ、表示機能を損なわない位置に特定目印線２１３ａ、２１３ｂが印刷されており、特定目印線２１３ａ、２１３ｂで折り畳まれて所定面積Ｓ／２となり、第一合成樹脂シート２２０と第二合成樹脂シート２３０との間に挿入配置されても、上段領域２１１ａの図柄や下段領域２１１ｂの図柄等の面状装飾の表示機能を充分に発揮することができる。また、薄状体２１０の面積Ｓが所定面積Ｓ／２の２倍となっており、充分な大きさＳの双六等の面状装飾が印刷されている。その結果、子供達等は満足することができる。
【００５０】
＜第三実施形態＞
上述したデスクマット１００及びデスクマット２００では、特定目印線として、色の違いによる線分１３が形成されたり、左端部側横線２１３ａと右端部側横線２１３ｂとが形成されたりする構成としたが、一直線上に並べられた記号が形成されているような構成としてもよい。これにより、表示機能を発揮するように正確に折り畳むことができる。
＜第四実施形態＞
上述したデスクマット１００及びデスクマット２００では、学習机Ａ等の天板Ｂ上に薄状体１０及び薄状体２１０が１／２の大きさに折り畳まれて敷設される構成としたが、１／４の大きさに折り畳まれて敷設されるような構成としてもよい。また、図９の（ａ）に示すように、表面における２／３の領域３１１ａ、３１１ｂと１／３の領域３１１ｃとに分割する位置に特定目印線３１３が印刷されている薄状体３１０であってもよく、このような薄状体３１０では、図９の（ｂ）に示すように、１／３の領域３１１ｃを折り畳むことにより、１／３の領域３１１ａと１／３の領域３１２とが観察されるよう構成としてもよい。これにより、観察される図柄を変化させたりすることができる。
【００５１】
＜第五実施形態＞
上述したデスクマット１００及びデスクマット２００では、面状装飾が、双六、一定面内に納められた図柄、キャラクタ一覧表である構成としたが、地図、比較表であるような構成としてもよい。
＜第六実施形態＞
上述したデスクマット１００及びデスクマット２００では、第一合成樹脂シート２０及び第一合成樹脂シート２２０が透明である構成としたが、図１０の（ａ）及び（ｂ）に示すように、上半分４２０ａが半透明で下半分４２０ｂが透明である第一合成樹脂シート４２０であるような構成としてもよい。これにより、図１０の（ｃ）に示すような上半分４１１ａに印刷された図柄と下半分４１１ｂに印刷された図柄とを有する薄状体４１０を用いて、上半分４１１ａと下半分４１１ｂとのいずれかを選択することで、観察される図柄を変化させたりすることができる。
【産業上の利用可能性】
【００５２】
本発明に係る薄状体は、机の天板上に敷設されるデスクマット等に有用である。
【符号の説明】
【００５３】
１０    薄状体
１３    特定目印線
２０    第一合成樹脂シート
３０    第二合成樹脂シート
１００  デスクマット
【図１】
2018192753.tif 000003
【図２】
2018192753.tif 000004
【図３】
2018192753.tif 000005
【図４】
2018192753.tif 000006
【図５】
2018192753.tif 000007
【図６】
2018192753.tif 000008
【図７】
2018192753.tif 000009
【図８】
2018192753.tif 000010
【図９】
2018192753.tif 000011
【図１０】
2018192753.tif 000012